(57)【特許請求の範囲】
【請求項１】
送風機のケーシング風洞側面に開口部を設け、
該開口部にセンサを設置し、
前記送風機で発生される風の脈動周波数を前記センサで検出し、
該脈動周波数を前記送風機の羽根の枚数で除することによって、
前記送風機の回転速度を求めることを特徴とする送風機の回転速度検出方法。
【請求項２】
前記開口部を空気の圧力を受けて形状が可逆的に変化する部材で覆い、
該可逆的に変化する部材にセンサを設置し、
前記送風機で発生される風の脈動周波数を前記センサで検出することを特徴とする  
請求項１に記載の送風機の回転速度検出方法。
【請求項３】
送風機で発生される風の脈動周波数を検出するセンサ部と、
検出した脈動周波数を前記送風機の羽根の枚数で除して前記送風機の回転数を求める演算回路部とからなり、
前記センサ部は、前記送風機のケーシング風洞側面の開口部に設けられていることを特徴とする送風機の回転速度検出装置。
【請求項４】
前記脈動周波数を検出するセンサ部は、前記送風機のケーシング風洞側面の開口部に設けられ、圧力を受けて形状が可逆的に変化する部材と、該部材上に設けられた位置を電気信号に変換する素子とからなることを特徴とする請求項３に記載の送風機の回転速度検出装置。
【請求項５】
前記送風機の回転数が、予め定めた範囲から外れたときに警報を発するアラーム部を備えたことを特徴とする請求項３または４に記載の送風機の回転速度検出装置。
【発明の詳細な説明】
【技術分野】
【０００１】
本発明は、電子機器等を冷却するために用いる送風機の回転速度検出方法及び回転速度検出装置に関する。
【背景技術】
【０００２】
従来、送風機の回転速度検出方法としては、送風機内部にタコメータ、エンコーダ、レゾルバ等の検出器を設ける方法（特許文献１）、羽根の先端に磁石を埋め込み、その通過をセンサで検出する方法（特許文献２）、ループアンテナで漏れ磁束を検出して送風機の回転を検知する方法（特許文献３）等がある。
【先行技術文献】
【特許文献】
【０００３】
【特許文献１】特開平４−０２２１８１
【特許文献２】実開平１−０５８１６６
【特許文献３】特開２００６−２２６６９４
【発明の概要】
【発明が解決しようとする課題】
【０００４】
しかしながら、こうした従来の方法には次のような問題があった。
送風機内部に回転検出器を設ける方法においては、送風機を設計・製造する際に速度検出器を設けなければならず、後から付け加えることができない。
また、羽根先端に磁石を埋め込む方法も同様で、既存の送風機に後から加工するのは容易ではない。
さらに、ループアンテナで漏れ磁束を検出する方法においては、実際の漏れ磁束の信号波形が原理通りの理想的な波形ではなく歪んだものになるため、オシロスコープ等測定器に備えられた周波数測定機能に因らねばならず、全体としては高価なものになってしまう。
【０００５】
送風機は羽根によって空気を送り出し、空気を循環させたり、対象物を冷却したりする。万一、送風機に異常があって停止すると、機器や環境に重大な影響を及ぼす恐れがあるため、重要な箇所には、予め回転異常検出器付きの送風機が使用されることが多い。
しかしながら、通常の送風機を設置した後に、回転異常検出機能が必要になることもある。
【０００６】
本発明は、こうした従来の問題を解決し、既存の送風機に容易に取付可能で、かつ安価な回転速度検出方法及び回転速度検出装置を提供することを目的とする。
【課題を解決するための手段】
【０００７】
以上の問題を解決するために、本発明では、送風機のケーシング風洞側面に開口部を設け、該開口部にセンサを設置し、前記送風機で発生される風の脈動周波数を前記センサで検出し、該脈動周波数を前記送風機の羽根の枚数で除することによって、前記送風機の回転速度を求めることにある。
また、本発明では、前記開口部を空気の圧力を受けて形状が可逆的に変化する部材で覆い、該可逆的に変化する部材にセンサを設置し、前記送風機で発生される風の脈動周波数を前記センサで検出することにある。
さらに、本発明では、送風機で発生される風の脈動周波数を検出するセンサ部と、検出した脈動周波数を前記送風機の羽根の枚数で除して前記送風機の回転数を求める演算回路部とからなり、前記センサ部は、前記送風機のケーシング風洞側面の開口部に設けられていることにある。
また、本発明では、前記脈動周波数を検出するセンサ部は、前記送風機のケーシング風洞側面の開口部に設けられ、圧力を受けて形状が可逆的に変化する部材と、該部材上に設けられた位置を電気信号に変換する素子とからなることにある。
さらにまた、本発明では、前記送風機の回転数が、予め定めた範囲から外れたときに警報を発するアラーム部を備えたことにある。
【発明の効果】
【０００８】
本発明によれば、送風機で発生される風の周波数を直接検出するので、送風機の回転速度を精度良く求めることができる。
本発明によれば、送風機のケーシングの脈動周波数を検出するようにしたので、周波数の検出が極めて容易である。
本発明によれば、センサと演算回路を備えた簡単な装置で送風機の回転速度を検出することができる。
本発明によれば、送風機の空気取り入れ口又は吐き出し口付近にセンサを設置することで、送風機の回転速度が求められるので、装置の着脱が極めて容易である。
本発明によれば、センサと演算回路を備えた簡単な装置で送風機の回転速度を検出することができる。
本発明によれば、送風機の羽根で発生される風の脈動を風洞側面の圧力変化で検出するので、送風機の回転速度を精度良く求めることができる。
本発明によれば、送風機の回転速度の異常を容易に検知することができる。
【図面の簡単な説明】
【０００９】
【図１】本発明の一実施の形態による送風機の回転速度検出装置を示し、送風機の風洞側面に十分小さな穴を開けセンサを取付けた状態を例示した斜視図である。
【図２】７枚羽根の送風機に、図１のようにコンデンサマイクを取り付けたときの検出波形である。
【図３】本発明の他の実施の形態による送風機の回転速度検出装置を示し、送風機の空気吐き出し口付近にヒンジを用いてセンサを取付けた状態を示す斜視図である。
【図４】本発明の他の実施の形態による送風機の回転速度検出装置を示し、送風機の風洞に薄いフィルムを貼着した開口部を設けセンサを取付けた状態を例示した斜視図である。
【図５】図4の側面図である。
【図６】図4のA-A線断面図である。
【図７】本発明の他の実施の形態による送風機の回転速度検出装置を示し、送風機にセンサおよび演算回路装置を固定するためのケーシングを例示した斜視図である。
【発明を実施するための形態】
【００１０】
以下、本発明の実施の形態を図面を参照しながら詳細に説明する。
図４ないし図６は、電子機器等を冷却するために用いられる送風機１０である。この送風機１０は、内蔵された図示しないモータによって回転する回転体１１と、この回転体１１を支持するケーシング１２とで構成されている。前記回転体１１は、筒状の回転部分１１ａの周面に円周方向に一定間隔で、放射状に複数枚の羽根１１ｂを備えたものである。前記ケーシング１２は、内側に略円形の開口部を有する一対の枠体１３ａ，１３ｂと円筒状の風洞部１４で構成されている。この風洞部１４の中心軸線上に回転体１１を支持している。
前記送風機１０には、ケーシング１２の円筒状風洞部１４に開口部１４ａを設け、この開口部１４ａを覆うようにして、薄いフィルム１５を貼着してある。このフィルム１５にセンサ１６を貼り付けて、送風機１０作動時の空気の圧力によるフィルム１５の位置変化をセンサ１６で検出するようにしたもので、羽根１１ｂの通過に起因する空気の粗密波を検出することができる。
薄いフィルム１５に代えて、ゴムや薄い金属等を用いても良い。風洞部１４の素材が十分薄い場合は、直接センサ１６を取付けても良い。
【００１１】
一般に、送風機１０のある定点を通過する羽根１１ｂの単位時間当たりの回数と、送風機１０の回転数（回転速度）の関係は、次の式で表される。
【００１２】
ｎ＝６０・ｆ／ａ    ・・・式（１）  
ｎ：回転数［ｒｐｍ］、ｆ：羽根の通過回数［回／秒］、ａ：羽根の枚数［枚］
【００１３】
送風機の風洞部１４あるいは空気の流路では、羽根１１ｂが通過することによって、空気の粗密波が発生するが、その周波数は羽根１１ｂの通過回数ｆと同じである。
【００１４】
その粗密波をセンサ１６、たとえばコンデンサマイク、脈動ピックアップ、加速度センサや圧電センサなどで検出して羽根１１ｂの通過回数ｆを求め、式（１）に従って計算すれば、演算によって送風機１０の回転速度を求めることができる。
【００１５】
図１は、本発明の他の実施の形態で、風洞部１４の側面に小さな穴を開けセンサ１６を設置し、直接空気の粗密波を検出する方法である。以下図４と同一部分は同符号を付してある。
【００１６】
図２は、7枚羽根の送風機に図１のようにコンデンサマイクを取付けたときの検出波形である。
この例では、周波数は約322Ｈｚなので、式（１）によって計算すると、回転速度は約2765ｒｐｍである。  
【００１７】
風洞部１４の空気取り入れ口１７ａおよび空気吐き出し口１７ｂ付近の空気中においても、空気の粗密波が発生しているので、コンデンサマイクや気圧センサなどを直接近傍に設置して検出する方法や、可逆的に変形する素材を介して加速度センサや角度センサなどを設置して検出する方法がある。
【００１８】
図３は、空気吐き出し口１７ｂに脈動センサ１６をヒンジ１８で固定する概念図である。ヒンジ１８はピン部１９を中心に小片１９ａを風洞部１４等に付け、他方の小片１９ｂにセンサ１６を取り付けたものである。小片１９ｂは風の脈動によってピン部１９を軸として位置が可逆的に変化する。小片１９ｂの位置をセンサ１６によって電気信号に変換するものである。
【００１９】
図７は、センサ部と演算回路部とを一つの筐体に収納した回転速度検出器２０を、送風機ケーシング風洞部１４に固定した状態を示す図である。
【００２０】
なお、検出した周波数あるいは周期をもとに、送風機の回転数を求める方法としては、マイコンによって演算する方法がある。マイコンによれば、予め定めておいた速度を下回ったり、上回ったりしたときに、警告を発するのは容易である。
【００２１】
予め定めておいた時間と、検出した周期を、タイマなどを用いて比較し、警告を発する方法もある。
【００２２】
それらの回路装置を送風機に取り付ければ、取扱いの容易な回転異常アラーム付き送風機を提供できる。
【００２３】
なお、本発明は、上記実施の形態のみに限定されるものではなく、例えば、送風機としては、軸流ファン、シロッコファン、クロスフローファンなど、各種の送風機に適用することができる。また、脈動を検出できるものとしては、加速度センサ、角度センサ、圧電素子等各種のセンサを適用することができる。など、本発明の要旨を変更しない範囲で適宜変更して実施し得ることは言うまでもない。
【符号の説明】
【００２４】
１０  送風機
１１  回転体
１１ａ  回転部分
１１ｂ  羽根
１２  ケーシング
１４  風洞部
１５  薄いフィルム
１６  センサ
１７ａ  空気取り入れ口
１７ｂ  空気吐き出し口
１８  ヒンジ
２０  回転速度検出器
【図１】
0005629469.tif 000002
【図２】
0005629469.tif 000003
【図３】
0005629469.tif 000004
【図４】
0005629469.tif 000005
【図５】
0005629469.tif 000006
【図６】
0005629469.tif 000007
【図７】
0005629469.tif 000008